(57)【特許請求の範囲】
【請求項１】
片面にラチス部材を植設した鋼板及び／又は波付けした広幅帯鋼の２枚を、両者のラチス部材の少なくとも先端部が互いに交差若しくは重畳するようにして平行に離隔し、かつ、両者間に介在する普通コンクリート、軽量骨材コンクリート、発泡コンクリート又は、発泡プラスチックによる両者のラチス部材の継ぎ合わせによって結合したことを特徴とする構造用パネル。
【請求項２】
前記鋼板及び／又は波付けした広幅帯鋼の２枚の対向する位置に切欠き部及び／又はダクト上の開口部を設けたことを特徴とする請求項１記載の構造用パネル。
【請求項３】
前記普通コンクリート、軽量骨材コンクリート、発泡コンクリート又は、発泡プラスチックに鋼板及び／又は波付けした広幅帯鋼の延在方向と平行な貫通孔を設けたことを特徴とする請求項１又は２記載の構造用パネル。
【請求項４】
前記鋼板及び／又は波付けした広幅帯鋼の２枚の外周部を鋼製の閉鎖板又はコーキング材によって閉鎖したことを特徴とする請求項１，２又は３記載の構造用パネル。
【請求項５】
前記普通コンクリート、軽量骨材コンクリート、発泡コンクリート又は、発泡プラスチックに主筋及び配力筋を埋設したことを特徴とする請求項１，２，３又は４記載の構造用パネル。
【請求項６】
前記ラチス材が、Ｖ字状若しくはＵ字状の棒鋼、垂直な棒鋼又は垂直な鋼板であることを特徴とする請求項１，２，３，４又は５記載の構造用パネル。
【発明の詳細な説明】
【０００１】
【発明の属する技術分野】
本発明は、鉄骨構造や壁構造等の建築物においてオープンシステムの床板や壁体等として用いられる構造用パネルに関する。
【０００２】
【従来の技術】
従来、この種の構造用パネルとしては、平行に離隔した２枚の鋼板又は波付けした広幅帯鋼を鋼製のラチス材を介在して接合したり、その外周部を鋼製の閉鎖板により閉鎖し、この閉鎖板によって囲まれた２枚の鋼板又は波付けした広幅帯鋼間に普通コンクリート、軽量骨材コンクリート、発砲コンクリート等の充填材を充填したものが知られている（特許平９−１９９９５号参照）。
【０００３】
【発明が解決しようとする課題】
しかし、従来の構造用パネルでは、その厚み寸法の異なるものを製作しようとすると、ラチス材をそれに対応する寸法のものとしなければならず、その製作が頻雑となる不具合がある
そこで、本発明は、厚み寸法の異なるものの製作を容易になし得る構造用パネルを提供することを目的とする。
【０００４】
【課題を解決するための手段】
前記課題を解決するため、本発明の第１の構造用パネルは、片面にラチス部材を植設した鋼板及び／又は波付けした広幅帯鋼の２枚を、両者のラチス部材の少なくとも先端部が互いに交差若しくは重畳するようにして平行に離隔し、かつ、両者間に介在する普通コンクリート、軽量骨材コンクリート、発泡コンクリート又は、発泡プラスチックによる両者のラチス部材の継ぎ合わせによって結合したことを特徴とする
第２の構造用パネルは、第１のものにおいて、前記鋼板及び／又は波付けした広幅帯鋼の２枚の対向する位置に切欠き及び／又はダクト状の開口部を設けたことを特徴とする。
第３の構造用パネルは、第１又は第２のものにおいて、前記普通コンクリート、軽量骨材コンクリート、発泡コンクリート又は、発泡プラスチックに鋼板及び／又は波付けした広幅帯鋼の延在方向と平行な貫通孔を設けたことを特徴とする。
第４の構造用パネルは、第１，第２又は第３のものにおいて、前記鋼板及び／又は波付けした広幅帯鋼の２枚の外周を鋼製の閉鎖板又はコーキング材よって閉鎖したことを特徴とする。
又、第５の構造用パネルは、第１，第２，第３又は第４のものにおいて、前記普通コンクリート、軽量骨材コンクリート、発泡コンクリート又は、発泡プラスチックに主筋及び配力筋を埋設したことを特徴とする。
一方、前記ラチス材は、Ｖ字状若しくはＵ字状の棒鋼、垂直な棒鋼又は垂直な鋼板であることが好ましい。
【０００５】
前記鋼板としては、平鉄板や縞鋼板等が用いられ、又、波付けした広幅鋼板としては、デッキプレートやキーストーン等が用いられる。
前記普通コンクリート、軽量骨材コンクリート、発泡コンクリート又は、発泡プラスチック中には、薄鉄板や紙からなる両端閉止の複数のパイプが埋設されていることが望ましく、このようにすることにより、パネル自体の軽量化が図れる。
【０００６】
【発明の実施の形態】
以下、本発明の実施の形態について図面を参照して説明する。
図１及び図２は本発明に係る構造用パネルの第１の実施の形態を示す平面図及び図１におけるＩＩ−ＩＩ線矢視断面図である。
この構造用パネルは、片面に異形鉄棒からなるＶ字状若しくはＵ字状の複数のラチス部材１を複数列に植設した平鉄板からなる鋼板２の２枚を、両者ラチス部材の少なくとも先端部が互いに交差するようにして所要の間隔（例えば１００〜３００ｍｍ、以下、同じ）で平行に離隔し、かつ、両者間に介在する普通コンクリート３による両者のラチス部材１の継ぎ合わせ（所要定着長）により結合して構成されている。
【０００７】
上記構造用パネルを製造するには、まず、両方の鋼板２の片面に複数のラチス部材１を鋼板２の長手方向及び幅方向へ適宜に離隔し、溶接等により複数列植設する。
この際、両方の鋼板２のラチス部材１は、鋼板２の幅方向で干渉しない程度の僅かな間隔を有するようにする。
次に、一方の鋼板２をラチス部材１が上面となるように、方形の型枠（図示せず）に収容した後、その上に普通コンクリート３を所要厚み（両方の鋼板のラチス部材の少なくとも先端部が交差する範囲）で流し込んでから、他方の鋼板２をラチス部材１が下面となるようにして型枠に収容し、普通コンクリート３を固化させ、しかる後に、脱型する。
【０００８】
上記構成の構造用パネルは、短辺部の突き合わせ溶接接合、ボルトや仕口プレート用いた相互の機械的な継ぎ合わせによって接合することにより、長手方向へ長大化され、更に、梁や柱等と溶接接合、機械的な継ぎ合わせによって連結され、鉄骨構造や鉄筋コンクリート構造、壁構造の建築物において床板、耐力壁、非耐力壁（間仕切壁）、地下壁等の壁体等として用いられる。
【０００９】
上記構成の構造用パネルにおいては、普通コンクリート３によって両者の鋼板２のラチス部材１が継ぎ合わされてラチスとして機能するので、剪断力の伝達が可能になり、又、ラチス部材１の交差範囲がその高さとなるので、その製造に際しラチス部材１の高さのほぼ１〜２倍の寸法範囲で厚みの設定を容易に行うことができる。
【００１０】
図３及び図４は本発明に係る構造用パネルの第２の実施の形態を示す平面図及び図３におけるＩＶ一ＩＶ線矢視断面図である。
この構造用パネルは、片面に異形棒鋼からなるＶ字状若しくはＵ字状の複数のラチス部材４を複数列に植設した平鉄板からなる鋼板５の２枚を、両者のラチス部材４の少なくとも先端部が互いに重畳（重畳は、鋼板の厚み方向に限らず、幅方向又は長手方向でもよい）するようにして所要間隔で平行に離隔すると共に、両方の鋼板５の外周部を枠状を呈する鋼製の閉鎖板６によって閉鎖し、かつ、閉鎖板６によって囲まれた鋼板５間に介在する普通コンクリート７に依る両者のラチス材４の継ぎ合わせにより結合し、又、窓やパイプダクト等を形成するため、両方の鋼板５の対向する位置に設けた方形の孔８を箇体９で液密に連結したダクト状の開口部１０を設けて構成されている。
図中１１は他方の鋼板５に設けたコンクリート注入のための孔で、蓋によって閉鎖されている。
【００１１】
上記構成の構造用パネルを製造するには、先ず、孔８を設けた両方の鋼板５の片面に複数のラチス部材４を鋼板５の長手方向及び幅方向へ適宜に離隔し、溶接等により複数列植設する。
この際、両方の鋼板５のラチス部材４は鋼板５の長手方向で干渉しない程度の僅かな間隔を有するようにする。
次に、一方の鋼板５のラチス部材４が上面となるようにした後、その孔８に所要高さの筒体９を挿着し、かつ、その上に所要高さの閉鎖板６を載せる。筒体９と閉鎖体６は、液密となるように、一方の鋼板５と溶接等によって接合することが望ましい。
ついで、閉鎖板６で囲まれた鋼板５上に普通コンクリート７を流し込んでから、他方の鋼板５をその孔８と上記筒体９が嵌合するようにして閉鎖板６に載せ、あるいは他方の鋼板５をその孔８と上記筒体９が嵌合するようにして閉鎖板６に載せてから、孔１１から普通コンクリート７を流し込み、蓋１２を取り付け、普通コンクリート７を固化させる。
【００１２】
上記構成の構造用パネルは、第１の実施形態のものとほぼ同様にして長大化され、かつ、梁や柱等と連結され、床板や耐力壁等として用いられるものであり、第１の実施のものとほぼ同様の作用効果が得られる他、窓やパイプダクト等と対応させることができる。
【００１３】
図５及び図６は本発明に係る構造用パネルの第３の実施の形態を示す平面図及び図５におけるＶＩ〜ＶＩ線矢視断面である。
この構造用パネルは、片面に異形棒鋼からなる垂直な複数のラチス部材１３を複数列植設した平鉄板からなる鋼板１４の２枚を、両者のラチス部材１３の少なくとも先端部が互いに重畳するようにして所要間隔で平行に離隔すると共に、両方の鋼板１４の外周部を枠状を呈するコーキング材１５によって閉鎖し、かつコーキング材１５によって囲まれた鋼板１４間に介在する普通コンクリート１６に依る両者のラチス部材１３の継ぎ合わせにより結合し、又、普通コンクリート１６に主筋１７と配力筋１８を埋設して構成される。
図中１９は他方の鋼板１４に設けたコンクリート注入のための孔で、蓋２０によって閉鎖されている。
【００１４】
上記構成の構造用パネルを製造するには、先ず、両方の鋼板１４の片面に複数のラチス材１３を鋼板１４の長手方向及び幅方向へ適宜に離隔し、溶接等により複数列植設する。
この際、両方の鋼板１４のラチス材１３は、鋼板１４の幅方向で干渉しない程度の僅かな間隔を有するようにする。
次に、一方の鋼板１４をラチス部材１３が上面となるようにした後、その上に所要高さのコーキング材１５を載せる。コーキング材１５は、液密となるように、一方の鋼板１４と接着することが望ましい。
次いでコーキング材１５で囲まれた鋼板１４上に普通コンクリート１６を流し込んでから、他方の鋼板１４をコーキング材１５に載せ、あるいは他方の鋼板１４をコーキング材１５に載せてから、孔１９から普通コンクリート１６を流し込み、蓋２０を取り付け、普通コンクリート１６を固化させる。
【００１５】
上記構成の構造用パネルは、第１の実施形態のものとほぼ同様にして長大化され、かつ、梁や柱等と連結され、床板や耐力壁として用いられるものであり、第１の実施形態のものとほぼ同様の作用効果が得られる他、主筋１７と配力筋１８によって普通コンクリート１６の強度を高めることができ、又、コーキング材１５によって防水性を高めることができる。
【００１６】
図７、図８及び図９は本発明に係る構造用パネルの第４の実施の形態を示す平面図、図７におけるＶＩＩＩ〜ＶＩＩＩ線矢視断面及び図７におけるＩＸ〜ＩＸ線矢視断面である。
この構造用パネルは、対向する位置に切欠き部２１を設けると共に、片面に鋼板からなり、透孔２２１を有す複数のラチス部材２２を複数列に植設した平鉄板からなる鋼板２３の２枚を、両者のラチス部材２２の少なくとも先端部が互いに重畳する用にして所要間隔で平行に離隔すると共に、両者の外周部を枠状に呈する鋼製の閉鎖板２４によって閉鎖し、かつ、閉鎖板２４によって囲まれた鋼板２３間に介在する普通コンクリート２５による両者のラチス部材２２の継ぎ合わせにより結合し、又、ダクト等を形成するため、普通コンクリート２５に鋼板２３の延在方向と平行な貫通孔２６を薄い鋼板や紙等からなるパイプ２７によって形成して構成されている。
図中２８は他方の鋼板２３に設けたコンクリート注入のための孔で、蓋２９によって閉鎖されている。
【００１７】
上記構成の構造用パネルを製造するには、先ず、両方の鋼板２３の対向する位置に切欠き部２１を形成すると共に、それぞれの鋼板２３の片面に複数のラチス材２２を鋼板２３の長手方向及び幅方向へ適宜に離隔し、溶接等により複数列植設する。
この際、両方の鋼板２３のラチス材２２は、鋼板２３の幅方向で干渉しない程度の僅かな間隔を有するようにする。
次に、一方の鋼板２３をラチス部材２２が上面となるようにした後、その上に所要高さの閉鎖板２４を載せる。閉鎖板２４は、液密となるように、一方の鋼板２３と溶接等によって接合することが望ましい。
ついで、パイプ２７を閉鎖板２４の孔に挿入してセットした後、閉鎖板２４で囲まれた鋼板２３上に普通コンクリート２５を流し込んでから、他方の鋼板２３を閉鎖板２４に載せ、あるいは他方の鋼板２３を閉鎖板２４に載せてから孔２８から普通コンクリート２５を流し込み、蓋２９を取り付け、普通コンクリート２５を固化させる。
【００１８】
上記構成の構造用パネルは、第一の実施の形態のものとほぼ同様にして長大化され、かつ、梁や柱等と連結され、床板や耐力壁等として用いられるものであり、第１の実施の形態のものとほぼ同様の作用効果が得られる他、切欠き部２１によって出入口等と対応させることができ、かつ、貫通孔２６によってパイプダクト等と対応させることができる。
【００１９】
なお、上述した各実施の形態においては、鋼板を平鉄板とする場合について述べたが、これについて限定されるものでなく、縞鋼板等を鋼板としてもよく、又、鋼板に代えてデッキプレートやキーストンプレート等の波付けした広幅帯鋼を用いてもよく、さらに、鋼板と波付けした広幅帯鋼の組み合わせとしてもよい。一方、鋼板及び／又は波付けした広幅帯鋼の２枚の間に介在して互いのラチス部材を継ぎ合わせるのに普通コンクリートを用いることに限らず、軽量骨材コンクリート発泡、コンクリート又は発泡プラスチックを用いてもよい。
【００２０】
【発明の効果】
以上説明したように、本発明の構造用パネルによれば、普通コンクリート、軽量骨材コンクリート、発泡コンクリートは発泡プラスチックによって２枚の鋼板および／又は波付けした広幅帯鋼のラチス材が継ぎ合わされてラチスとして機能するので、剪断力の伝達を可能とすることができる。
又、その製造に対し、ラチス部材の高さのほぼ１〜２倍の寸法範囲で厚みの設定が可能となるので、厚みの異なるパネルを容易に製作することができる。
第２の構造用パネルによれば、第１のものによって得られる作用効果の他、床形状若しくは出入り口及び／又は窓若しくはダクト等に対応させることができる。
第３の構造用パネルによれば、第１又は第２のものによって得られる作用効果の他、パイプダクト等と対応させることができる。
第４の構造用パネルによれば、第１、第２又は第３のものによって得られる作用効果の他、閉鎖板やコーキング材が型枠として機能するので、普通コンクリート等の流し込みを容易に行うことができると共に、コーキング材によって防水性を高めることができる。
又、第５の構造用パネルによれば、第１、第２、第３又は第４のものによって得られる作用効果の他、主筋と配力筋によって普通コンクリートの強度を高めることができ、ひいてはパネルの強度を高めることができる。
【図面の簡単な説明】
【図１】本発明に係る構造用パネルの第１の実施の形態を示す平面図である。
【図２】図１におけるＩＩ−ＩＩ線矢視断面図である。
【図３】本発明に係る構造用パネルの第２の実施の形態を示す平面図である。
【図４】図３におけるＩＶ−ＩＶ線矢視断面図である。
【図５】本発明に係る構造用パネルの第３の実施の形態を示す平面図である。
【図６】図５におけるＶＩ−ＶＩ線矢視断面図である。
【図７】本発明に係る構造用パネルの第４の実施の形態を示す平面図である。
【図８】図７におけるＶＩＩＩ−ＶＩＩＩ線矢視断面図である。
【図９】図７におけるＩＸ−ＩＸ線矢視断面図である。
【符号の説明】
１      ラチス部材
２      鋼板
３      普通コンクリート
４      ラチス部材
５      鋼板
６      閉鎖板
７      普通コンクリート
１０      開口部
１３      ラチス部材
１４      鋼板
１５      コーキング材
１６      普通コンクリート
１７      主筋
１８      配力筋
２１      切欠き部
２２      ラチス部材
２３      鋼板
２４      閉鎖板
２５      普通コンクリート
２６      貫通孔
【図１】
0004065964.tif 000002
【図２】
0004065964.tif 000003
【図３】
0004065964.tif 000004
【図４】
0004065964.tif 000005
【図５】
0004065964.tif 000006
【図６】
0004065964.tif 000007
【図７】
0004065964.tif 000008
【図８】
0004065964.tif 000009
【図９】
0004065964.tif 000010